(57)【要約】【課題】印字部６における、印字ヘッド（サーマルヘッド１７）の金属製のヒートシンク１７Ｃや保護カバー１７Ｅによる電波の反射の影響を回避し、ＲＦＩＤ用紙（ＲＦＩＤラベル９）との間のデータ通信を効率よく行い、データ読取り書込み部５のＲＦＩＤアンテナ１５を印字部６にできるだけ接近して配置可能なＲＦＩＤ用紙用プリンターを提供すること。【解決手段】データ読取り書込み部５のＲＦＩＤアンテナ１５の取付け位置を工夫すること、具体的には、ＲＦＩＤアンテナ１５を、ＲＦＩＤ用紙９の移送路３を隔てて従来とは反対側の印字ヘッド１７側に設けることに着目したもので、データ読取り書込み部５のＲＦＩＤアンテナ１５を、印字ヘッド１７とＲＦＩＤ用紙９の移送路３との間に設けたことを特徴とする。【選択図】図１
2007219805.tif 000002
【特許請求の範囲】
【請求項１】
アンテナおよびＩＣチップを有するＲＦＩＤ用紙を所定の移送路上を移送するとともに、このＲＦＩＤ用紙に対して、データ読取り書込み部においてデータの読取りあるいは書込みを行い、さらに印字部において所定の情報の印字を行うＲＦＩＤ用紙用プリンターであって、
前記データ読取り書込み部は、前記ＲＦＩＤ用紙に対向するＲＦＩＤアンテナを有し、
前記印字部は、前記ＲＦＩＤ用紙に印字可能な印字ヘッドを有するとともに、
前記データ読取り書込み部の前記ＲＦＩＤアンテナを、前記印字ヘッドと前記ＲＦＩＤ用紙の前記移送路との間に設けたことを特徴とするＲＦＩＤ用紙用プリンター。
【請求項２】
アンテナおよびＩＣチップを有するＲＦＩＤ用紙を所定の移送路上を移送するとともに、このＲＦＩＤ用紙に対して、データ読取り書込み部においてデータの読取りあるいは書込みを行い、さらに印字部において所定の情報の印字を行うＲＦＩＤ用紙用プリンターであって、
前記データ読取り書込み部は、前記ＲＦＩＤ用紙に対向するＲＦＩＤアンテナを有し、
前記印字部は、前記ＲＦＩＤ用紙に印字可能な印字ヘッドを有するとともに、
前記データ読取り書込み部の前記ＲＦＩＤアンテナを、前記印字ヘッドに取り付けたことを特徴とするＲＦＩＤ用紙用プリンター。
【請求項３】
前記印字ヘッドは、前記ＲＦＩＤアンテナに対向する金属製の保護カバーを有することを特徴とする請求項１あるいは２記載のＲＦＩＤ用紙用プリンター。
【請求項４】
前記ＲＦＩＤアンテナは、これを前記印字ヘッドの近傍に設けたことを特徴とする請求項１記載のＲＦＩＤ用紙用プリンター。
【請求項５】
前記ＲＦＩＤアンテナは、これを前記印字ヘッドの金属製部品に直接接触させたことを特徴とする請求項２記載のＲＦＩＤ用紙用プリンター。
【請求項６】
前記ＲＦＩＤアンテナは、平板状のパッチアンテナであることを特徴とする請求項１あるいは２記載のＲＦＩＤ用紙用プリンター。
【請求項７】
前記ＲＦＩＤアンテナは、周波数が３００ＭＨｚ〜３ＧＨｚの極超短波を発信することを特徴とする請求項１あるいは２記載のＲＦＩＤ用紙用プリンター。
【発明の詳細な説明】
【技術分野】
【０００１】
本発明はＲＦＩＤ用紙用プリンターにかかるもので、とくにラベルあるいはタグ（下げ札）などの形態としたＲＦＩＤ用紙との間のデータ通信および印字を行うためのＲＦＩＤ用紙用プリンターに関するものである。
【背景技術】
【０００２】
従来から、ＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや読書きを行うための各種のＲＦＩＤ用紙をプリンターに装填してその表面に所定の情報を印字することが行われている。
従来のＲＦＩＤ用紙用のプリンター（たとえばサーマルプリンター１）について、図３および図４にもとづき概説する。
図３は、サーマルプリンター１の要部概略側面図であって、サーマルプリンター１は、ＲＦＩＤ用紙連続体２の移送路３と、用紙センサー４と、データ読取り書込み部５と、印字部６と、制御部７と、を有する。
【０００３】
図４は、ＲＦＩＤ用紙連続体２の平面図であって、ＲＦＩＤ用紙連続体２は、帯状の台紙８と、台紙８上に等間隔に仮着した複数枚のＲＦＩＤラベル９（ＲＦＩＤ用紙）と、を有する。
ＲＦＩＤラベル９は、台紙８に仮着可能なラベル本体１０と、ラベル本体１０の裏面に形成したアンテナ１１およびＩＣチップ１２と、を有し、所定の保持部（図示せず）から台紙８とともに移送路３上にこれを移送する。
このＲＦＩＤラベル９は、データ読取り書込み部５からの電波の発信を受けて、ＩＣチップ１２からのデータの読取りおよびＩＣチップ１２へのデータの書込みが可能である。
通信用の電波としては、その周波数がたとえば３ＭＨｚ〜３０ＭＨｚ（好ましくは、１３．５６ＭＨｚ）の短波（ＨＦ）、あるいは３００ＭＨｚ〜３ＧＨｚ（好ましくは８６０〜９６０ＭＨｚ、さらに具体的には９５０〜９５６ＭＨｚ）の極超短波（ＵＨＦ）などを用いることができる。
ただし、ＨＦ帯の電波を用いる場合には、データ読取り書込み部５とＲＦＩＤラベル９との間の電磁誘導作用を利用しており、通信距離の上限は７０ｃｍ程度である。また、ＵＨＦ帯の電波を用いる場合には、データ読取り書込み部５とＲＦＩＤラベル９との間の電波の共振作用を利用しており、通信距離は１〜５ｍ程度であり、それぞれの場合において、アンテナ１１の形状やＩＣチップ１２の具体的構成を適正なものとする。
【０００４】
移送路３には、合成樹脂製の移送路ブラケット１３を設けて、用紙センサー４、データ読取り書込み部５および印字部６に適正にＲＦＩＤ用紙連続体２が移送されるようにしてある。
【０００５】
用紙センサー４は、ＲＦＩＤラベル９の間の間隙を検知して、ＲＦＩＤ用紙連続体２の位置検出を行うもので、移送路３に沿って設けた合成樹脂製のセンサー保持用ブラケット１４にこれを取り付けてある。
【０００６】
データ読取り書込み部５は、用紙センサー４と印字部６との間に位置して、ＲＦＩＤ用紙連続体２のＲＦＩＤラベル９からのデータの読取りあるいはＲＦＩＤラベル９へのデータの書込み、すなわち無線による非接触のデータ伝送を行うもので、ＲＦＩＤアンテナ１５を有し、制御部７からの制御信号により、当該データの読取りおよび書込みを無線により非接触で双方向に行うことができる。
ＲＦＩＤアンテナ１５は、たとえば平板状のパッチアンテナであって、中央の誘電体基盤１５Ａと、誘電体基盤１５Ａの発信側（表面側）のアンテナ金属板１５Ｂと、裏面側の金属製グラウンド板１５Ｃと、を有し、ＲＦＩＤ用紙連続体２のＲＦＩＤラベル９に対向してこれを設け、ＲＦＩＤアンテナ１５（アンテナ金属板１５Ｂ）からＲＦＩＤラベル９に向けて通信用の電波を発信可能としてある。
ＲＦＩＤアンテナ１５をパッチアンテナとすることにより、とくに図４に仮想線で示すように、ＲＦＩＤラベル９の表面をできるだけ広く覆うことが可能であるとともに、その高さを低くして、比較的狭い空間にもこれを配置することができる。
なお、ＲＦＩＤアンテナ１５は、移送路ブラケット１３に一体的な合成樹脂製のアンテナ用ブラケット１６にこれを取り付けてある。
【０００７】
印字部６は、サーマルヘッド１７（印字ヘッド）およびプラテンローラー１８を有し、制御部７からの制御信号により必要に応じてＲＦＩＤ用紙連続体２のＲＦＩＤラベル９の表面上に所定の情報を印字する。この印字する情報としては、ＲＦＩＤラベル９の管理情報やその他必要な表示情報、あるいはＩＣチップ１２内のデータに対応した情報など、任意の情報である。
サーマルヘッド１７は、プラテンローラー１８に対向しているヘッド本体１７Ａと、ＲＦＩＤラベル９の幅方向に延びる多数のドット状の発熱素子１７Ｂと、金属製（たとえばアルミニウム製）のヒートシンク１７Ｃと、発熱素子１７Ｂに接続している接続ケーブル１７Ｄと、接続ケーブル１７Ｄの金属製（たとえば鉄製）の保護カバー１７Ｅと、を有する。保護カバー１７Ｅは、移送路３上を移送されてくるＲＦＩＤラベル９がその底面に接触したときに、その静電気を逃がす機能も有する。
なお、プラテンローラー１８は、移送路ブラケット１３の先端部に位置している。
また、台紙８からＲＦＩＤラベル９を剥離するための剥離部（剥離板、図示せず）を必要に応じて設けることにより、台紙８のみを転向させ、台紙８からＲＦＩＤラベル９を剥離可能とすることができる。
【０００８】
制御部７は、上述の用紙センサー４、ＲＦＩＤアンテナ１５、サーマルヘッド１７およびプラテンローラー１８を制御する。
【０００９】
こうした構成のサーマルプリンター１において、データ読取り書込み部５におけるＲＦＩＤアンテナ１５から、ＲＦＩＤラベル９内のアンテナ１１を介してＩＣチップ１２からデータを読み取り、あるいはＩＣチップ１２に必要なデータを書き込むことができるとともに、これらのデータに対応する所定のバーコード情報などを印字部６においてＲＦＩＤラベル９の表面に印字可能である。
【００１０】
しかしながら、ＲＦＩＤ用紙連続体２については、用紙センサー４により位置を検出したそれぞれのＲＦＩＤラベル９にデータ読取り書込み部５によりデータの授受を行うとともに、このデータないしＲＦＩＤラベル９に対応した内容の印字を印字部６によりＲＦＩＤラベル９に行うため、データ読取り書込み部５および印字部６においてそれぞれ同じＲＦＩＤラベル９が対応位置している必要がある。
すなわち、データ読取り書込み部５においてデータ通信するＲＦＩＤラベル９と、印字部６においてデータ印字するＲＦＩＤラベル９とは同一であることが望ましく、当該ＲＦＩＤラベル９と印字部６との間に別のＲＦＩＤラベル９が位置していることは望ましくない。
とくに、サイズの小さなＲＦＩＤラベル９に対応するためには、データ読取り書込み部５のＲＦＩＤアンテナ１５をプラテンローラー１８およびサーマルヘッド１７の近傍に配置する必要がある。
ところが、プラテンローラー１８およびサーマルヘッド１７部分における金属製部品の影響により、ＲＦＩＤアンテナ１５とＲＦＩＤラベル９との間のデータ受発信が不具合を起こす場合があるという問題がある。
【００１１】
すなわち、図３に示すように、データ読取り書込み部５のＲＦＩＤアンテナ１５からはＲＦＩＤ用紙連続体２のＲＦＩＤラベル９およびサーマルヘッド１７に向けて電波を発信することになるが、ＲＦＩＤ用紙連続体２のさらに発信方向側にサーマルヘッド１７が、とくに直近には鉄製の保護カバー１７Ｅが、さらにその奥側にはアルミニウム製のヒートシンク１７Ｃが位置しているために、この保護カバー１７Ｅやヒートシンク１７Ｃ部分で電波が反射し（図３中、点線の矢印）、発信側の電波（図３中、実線の矢印）を打ち消す方向に作用してその強度を弱めることにより、ＲＦＩＤアンテナ１５としての性能を低下させてしまう。したがって、データ通信が適正に行われず、読取りエラーや書込みエラーが発生しやすくなるという問題がある。
【００１２】
とくに、ＲＦＩＤアンテナ１５から発信される、たとえばＵＨＦ帯の電波は、従来から用いられているＨＦ帯の電波よりも周波数が高いために直進性および反射性が比較的強く、ＲＦＩＤアンテナ１５を印字部６に接近させるほど、ＲＦＩＤアンテナ１５とＲＦＩＤラベル９との間のデータ通信に悪影響を及ぼしかねないという問題がある。
もちろん、任意の周波数の電波においても同様の問題が生ずる可能性がある。
【００１３】
【特許文献１】特開２００３−２８３３６５号公報
【発明の開示】
【発明が解決しようとする課題】
【００１４】
本発明は以上のような諸問題にかんがみなされたもので、ＲＦＩＤラベルなどＲＦＩＤ用紙との間のデータ通信を効率よく行うことができるＲＦＩＤ用紙用プリンターを提供することを課題とする。
【００１５】
また本発明は、データ読取り書込み部のＲＦＩＤアンテナを印字部にできるだけ接近して配置することが可能なＲＦＩＤ用紙用プリンターを提供することを課題とする。
【００１６】
また本発明は、印字部におけるサーマルヘッドの金属製のヒートシンクや保護カバーによる電波の反射の影響を回避可能なＲＦＩＤ用紙用プリンターを提供することを課題とする。
【００１７】
また本発明は、ＲＦＩＤアンテナとしてのゲインを向上可能なＲＦＩＤ用紙用プリンターを提供することを課題とする。
【課題を解決するための手段】
【００１８】
すなわち本発明は、データ読取り書込み部のＲＦＩＤアンテナの取付け位置を工夫すること、具体的には、ＲＦＩＤアンテナを、ＲＦＩＤ用紙の移送路を隔てて従来とは反対側の印字ヘッド側に設けることに着目したもので、第一の発明は、アンテナおよびＩＣチップを有するＲＦＩＤ用紙を所定の移送路上を移送するとともに、このＲＦＩＤ用紙に対して、データ読取り書込み部においてデータの読取りあるいは書込みを行い、さらに印字部において所定の情報の印字を行うＲＦＩＤ用紙用プリンターであって、上記データ読取り書込み部は、上記ＲＦＩＤ用紙に対向するＲＦＩＤアンテナを有し、上記印字部は、上記ＲＦＩＤ用紙に印字可能な印字ヘッドを有するとともに、上記データ読取り書込み部の上記ＲＦＩＤアンテナを、上記印字ヘッドと上記ＲＦＩＤ用紙の上記移送路との間に設けたことを特徴とするＲＦＩＤ用紙用プリンターである。
【００１９】
第二の発明は、アンテナおよびＩＣチップを有するＲＦＩＤ用紙を所定の移送路上を移送するとともに、このＲＦＩＤ用紙に対して、データ読取り書込み部においてデータの読取りあるいは書込みを行い、さらに印字部において所定の情報の印字を行うＲＦＩＤ用紙用プリンターであって、上記データ読取り書込み部は、上記ＲＦＩＤ用紙に対向するＲＦＩＤアンテナを有し、上記印字部は、上記ＲＦＩＤ用紙に印字可能な印字ヘッドを有するとともに、上記データ読取り書込み部の上記ＲＦＩＤアンテナを、上記印字ヘッドに取り付けたことを特徴とするＲＦＩＤ用紙用プリンターである。
【００２０】
上記印字ヘッドは、上記ＲＦＩＤアンテナに対向する金属製の保護カバーを有することができる。
【００２１】
上記ＲＦＩＤアンテナは、これを上記印字ヘッドの近傍に設けることができる。
【００２２】
上記ＲＦＩＤアンテナは、これを上記印字ヘッドの、たとえば保護カバーなどの金属製部品に直接接触させることができる。
【００２３】
上記ＲＦＩＤアンテナは、平板状のパッチアンテナであることができる。
【００２４】
上記ＲＦＩＤアンテナは、周波数が３００ＭＨｚ〜３ＧＨｚの極超短波を発信することができる。
【発明の効果】
【００２５】
本発明によるＲＦＩＤ用紙用プリンターにおいては、データ読取り書込み部のＲＦＩＤアンテナを、移送路上のＲＦＩＤ用紙と印字ヘッドとの間に配置するなど、ＲＦＩＤアンテナを、ＲＦＩＤ用紙の移送路を隔てて従来とは反対側の印字ヘッド側に設けたので、ＲＦＩＤアンテナからの電波の発信方向をＲＦＩＤラベルに集中することができ、従来のような印字ヘッド部分（保護カバーなどの部分）からの反射の悪影響を回避することができるとともに、ＲＦＩＤアンテナの裏側から発信して印字ヘッド部分から反射してくる電波をＲＦＩＤアンテナからの発信電波と同様にＲＦＩＤラベル方向に向けることができ、ＲＦＩＤラベルへの電波を増強可能である。
すなわち、印字ヘッド部分における電波の反射を活用（逆用）して、アンテナ性能の向上とともに、ＲＦＩＤアンテナをできるだけ印字部に近接配置することが可能であるなどプリンターの設計に自由度を増し、かつ、電波の増強を可能として通信エリアの拡大を図ることができる。
【００２６】
とくに第一の発明によれば、ＲＦＩＤアンテナを移送路上のＲＦＩＤ用紙と印字ヘッドとの間に配置したので、ＲＦＩＤアンテナからの電波の発信方向をＲＦＩＤラベルに集中することができるとともに、移送路上のＲＦＩＤラベルの仕様に応じて適正な部位にＲＦＩＤアンテナを配置するように設計可能である。
【００２７】
とくに第二の発明によれば、印字ヘッドにＲＦＩＤアンテナを取り付けるようにしたので、印字ヘッドのたとえば保護カバーなどの金属製部品が、ＲＦＩＤアンテナのグラウンド板として作用し、ＲＦＩＤアンテナからの電波の指向性を高めることができる。
【発明を実施するための最良の形態】
【００２８】
本発明は、データ読取り書込み部のＲＦＩＤアンテナを、移送路上のＲＦＩＤ用紙を隔てて印字ヘッド側に配置することにより、印字ヘッドの側からＲＦＩＤラベルに向けて電波を発信可能としたので、印字ヘッドにおける反射の影響をアンテナ性能の向上に活用し、ＲＦＩＤラベルとの間の通信の安定性を確保することが可能なＲＦＩＤ用紙用プリンターを実現した。
【実施例】
【００２９】
つぎに本発明の第１の実施例（第一の発明）によるＲＦＩＤ用紙用プリンター２０を図１にもとづき説明する。ただし、図３および図４と同様の部分には同一符号を付し、その詳述はこれを省略する。
図１は、ＲＦＩＤ用紙用プリンター２０の要部概略側面図であって、ＲＦＩＤ用紙用プリンター２０は、サーマルプリンター１（図３）と同様に、ＲＦＩＤ用紙連続体２の移送路３と、用紙センサー４と、データ読取り書込み部５と、印字部６と、制御部７と、を有する。
ただし、ＲＦＩＤ用紙用プリンター２０においては、前記データ読取り書込み部５のＲＦＩＤアンテナ１５の配置構造が異なる。
【００３０】
すなわち、本発明においては、データ読取り書込み部５のＲＦＩＤアンテナ１５を、移送路３上のＲＦＩＤ用紙連続体２と印字部６のサーマルヘッド１７との間に配置してある。
したがって、ＲＦＩＤアンテナ１５の表面側のアンテナ金属板１５ＢがＲＦＩＤラベル９側に対向し、裏面側の金属製グラウンド板１５Ｃが印字部６におけるサーマルヘッド１７の保護カバー１７Ｅ側に対向することになる。
さらに、ＲＦＩＤアンテナ１５のＲＦＩＤ用紙連続体２（ＲＦＩＤラベル９）に対する傾斜角度も、これらの部材を互いに平行に対向する構成のほか、サーマルヘッド１７ないしその保護カバー１７Ｅとの関連で、わずかに傾けた構成を採用することもできる。
かくして、ＲＦＩＤアンテナ１５の表面側のアンテナ金属板１５Ｂからは、ＲＦＩＤラベル９に向けて、すなわち、サーマルヘッド１７における保護カバー１７Ｅおよびヒートシンク１７Ｃなどの金属製の部品がない反対側の方向にデータ通信用の電波を発信することが可能となる。
【００３１】
こうした構成のＲＦＩＤ用紙用プリンター２０においては、ＲＦＩＤアンテナ１５からＲＦＩＤラベル９に向けて発信された電波は、サーマルヘッド１７側とは反対側に向けて伝播することになり（図１中、実線の矢印）、従来のサーマルプリンター１（図３）におけるようなサーマルヘッド１７からの反射の悪影響を回避することができる。
【００３２】
しかも、ＲＦＩＤアンテナ１５の裏面側の金属製グラウンド板１５Ｃからも比較的弱い電波が発信され、サーマルヘッド１７のヒートシンク１７Ｃや保護カバー１７Ｅ方向に向かうことになるので、この電波はこれらの部分において反射され、ＲＦＩＤラベル９に向かうことになる（図１中、点線の矢印）。
したがって、ＲＦＩＤアンテナ１５からの電波がＲＦＩＤラベル９方向に増強される結果、アンテナ性能ないし効率の向上を図り、ＲＦＩＤラベル９との間のデータの読取りあるいは書込みをより確実にすることができる。
【００３３】
とくに、パッチアンテナのような平板状のＲＦＩＤアンテナ１５を採用した場合には、サーマルヘッド１７の保護カバー１７Ｅなどが、ＲＦＩＤアンテナ１５の金属製グラウンド板１５Ｃの面積を大きくするように作用するため、サーマルヘッド１７の悪影響を排除するばかりか、逆にサーマルヘッド１７の保護カバー１７Ｅからの電波の反射を活用して、電波の拡散防止およびゲイン向上を図ることが可能となる。
【００３４】
かくして、印字部６のサーマルヘッド１７やプラテンローラー１８に接近してデータ読取り書込み部５のＲＦＩＤアンテナ１５を配置しても、サーマルヘッド１７におけるヒートシンク１７Ｃや保護カバー１７Ｅなどの金属製部品での反射の悪影響を回避することができるばかりか、逆に、ＲＦＩＤラベル９への電波を増強可能とし、ＲＦＩＤアンテナ１５の設計に自由度を確保することができる。
【００３５】
図２は、本発明の第２の実施例（第二の発明）によるＲＦＩＤ用紙用プリンター３０
の要部概略側面図であって、ＲＦＩＤ用紙用プリンター３０は、サーマルプリンター１（図３）およびＲＦＩＤ用紙用プリンター２０（図１）と同様に、ＲＦＩＤ用紙連続体２の移送路３と、用紙センサー４と、データ読取り書込み部５と、印字部６と、制御部７と、を有する。
ただし、ＲＦＩＤ用紙用プリンター３０においては、前記データ読取り書込み部５のＲＦＩＤアンテナ１５の配置構造が異なる。
【００３６】
すなわち、第二の発明においては、データ読取り書込み部５のＲＦＩＤアンテナ１５を、移送路３上のＲＦＩＤ用紙連続体２に対向するように印字部６のサーマルヘッド１７に取り付けてある。
具体的には、ＲＦＩＤアンテナ１５の裏面側の金属製グラウンド板１５Ｃをサーマルヘッド１７の金属製部品たとえば鉄製の保護カバー１７Ｅに直接接触するようにＲＦＩＤアンテナ１５を取り付け、ＲＦＩＤアンテナ１５の表面側のアンテナ金属板１５Ｂが、移送路３上のＲＦＩＤラベル９の方向に通信用の電波を発信可能とする。
【００３７】
こうした構成のＲＦＩＤ用紙用プリンター３０においても、第一の発明によるＲＦＩＤ用紙用プリンター２０と同様に、印字部６にできるだけ接近してＲＦＩＤアンテナ１５を配置しても、サーマルヘッド１７におけるとくに保護カバー１７Ｅの金属製部品での反射をなくすことができるばかりか、保護カバー１７Ｅ自体が、ＲＦＩＤアンテナ１５の金属製グラウンド板１５Ｃの面積を大きくすることになってＲＦＩＤラベル９への電波の指向性をさらに増強可能とし、ＲＦＩＤアンテナ１５の設計に自由度を確保することができる。
【図面の簡単な説明】
【００３８】
【図１】本発明の第１の実施例（第一の発明）によるＲＦＩＤ用紙用プリンター２０の要部概略側面図である。
【図２】本発明の第２の実施例（第二の発明）によるＲＦＩＤ用紙用プリンター３０の要部概略側面図である。
【図３】従来のＲＦＩＤ用紙用のプリンター（たとえばサーマルプリンター１）の要部概略側面図である。
【図４】同、ＲＦＩＤ用紙連続体２の平面図である。
【符号の説明】
【００３９】
１  サーマルプリンター（従来、図３）
２  ＲＦＩＤ用紙連続体（図４）
３  ＲＦＩＤ用紙連続体２の移送路
４  用紙センサー
５  データ読取り書込み部
６  印字部
７  制御部
８  台紙
９  ＲＦＩＤラベル（ＲＦＩＤ用紙）
１０  ラベル本体
１１  アンテナ
１２  ＩＣチップ
１３  移送路ブラケット
１４  センサー保持用ブラケット
１５  ＲＦＩＤアンテナ
１５Ａ  ＲＦＩＤアンテナ１５の誘電体基盤
１５Ｂ  ＲＦＩＤアンテナ１５のアンテナ金属板
１５Ｃ  ＲＦＩＤアンテナ１５の金属製グラウンド板
１６  アンテナ用ブラケット
１７  サーマルヘッド（印字ヘッド）
１７Ａ  サーマルヘッド１７のヘッド本体
１７Ｂ  サーマルヘッド１７の発熱素子
１７Ｃ  サーマルヘッド１７のアルミニウム製のヒートシンク
１７Ｄ  サーマルヘッド１７の接続ケーブル
１７Ｅ  サーマルヘッド１７の鉄製の保護カバー
１８  プラテンローラー
２０  ＲＦＩＤ用紙用プリンター（第１の実施例、第一の発明、図１）
３０  ＲＦＩＤ用紙用プリンター（第２の実施例、第二の発明、図２）
【図１】
2007219805.tif 000003
【図２】
2007219805.tif 000004
【図３】
2007219805.tif 000005
【図４】
2007219805.tif 000006